(57)【要約】【課題】過熱により仮に勾配板が二次的に発泡したとしても陸屋根の不陸を防止することができる陸屋根の防水構造を提供することを目的とする。【解決手段】水勾配を形成する勾配形成層１５の上面を防水シート１９で覆うことによって形成される陸屋根１Ａの防水構造２Ａであって、勾配形成層１５は合成樹脂発泡体によって形成されており、合成樹脂発泡体からなる勾配形成層１５の上部表面に接触又は僅かに離間して対向する位置には、合成樹脂発泡体が発泡すると想定される特定温度で液化する固形油分層２５が設けられており、固形油分層２５には、合成樹脂発泡体を溶かす溶融成分が含まれていることを特徴とする。【選択図】図２
2011208461.tif 000002
【特許請求の範囲】
【請求項１】
水勾配を形成する勾配形成層の上面を防水層で覆うことによって形成される陸屋根の防水構造であって、
前記勾配形成層は合成樹脂発泡体によって形成されており、該合成樹脂発泡体からなる勾配形成層の上部表面に接触又は僅かに離間して対向する位置には、前記合成樹脂発泡体が発泡すると想定される特定温度で液化する固形油分層が設けられており、該固形油分層には、前記合成樹脂発泡体を溶かす溶融成分が含まれていることを特徴とする陸屋根の防水構造。
【請求項２】
前記固形油分層は、前記勾配形成層の上部表面に塗布されることにより、前記勾配形成層の上部表面に接触して設けられていることを特徴とする請求項１に記載の屋根の防水構造。
【請求項３】
前記勾配形成層と前記防水層との間に配置された屋根中間層を更に備え、
前記固形油分層は、前記屋根中間層の下部表面に塗布されていることを特徴とする請求項１に記載の陸屋根の防水構造。
【請求項４】
前記固形油分層と前記勾配形成層とは僅かに離間して配置されており、
前記固形油分層と前記勾配形成層との間には、メッシュシート層が設けられていることを特徴とする請求項１または３記載の陸屋根の防水構造。
【請求項５】
前記固形油分層は、テルペン油、エゴマ油、シソ油などの食用油、及びリモネンの少なくとも一つからなる前記溶融成分と、前記溶融成分を内包する固形ワックスとを有することを特徴とする請求項１〜４のいずれか一項記載の陸屋根の防水構造。
【請求項６】
前記合成樹脂発泡体はポリスチレンフォームであり、前記固形油分層には、前記ポリスチレンフォームを溶かす溶融成分が含まれていることを特徴とする請求項１〜４のいずれか一項記載の陸屋根の防水構造。
【発明の詳細な説明】
【技術分野】
【０００１】
本発明は、建物の陸屋根の防水構造に関し、特に、建物の屋上、ベランダ又はバルコニーの床面などといった１／１００程度の水勾配を有する陸屋根の防水構造に関する。
【背景技術】
【０００２】
従来、この種の陸屋根を形成する際に、必要な水勾配面に対応する勾配面を形成した勾配形成板を敷設し、当該勾配形成層の上方に不燃板を設置し、そして、当該不燃板の上方に塩化ビニル製の防水層を形成する構成が知られている。また、この勾配形成板を、例えばポリスチレン、ポリウレタン、ポリエチレン、ポリ塩化ビニル、フェノール樹脂などの熱可塑性合成樹脂の発泡体で構成することも知られている（例えば、特許文献１参照）。
【０００３】
ところで、これら陸屋根に連なって立上り壁を設けた建物は少なくなく、当該立上り壁には、掃出し窓等の開口部が設けられており、そうすると、屋根面は、部位によっては太陽からの直射光のみならず開口部に設置されるガラス窓からの反射光も重なって照射されることとなる。当該部位においては、これら直射日光と反射光によって防水層下の勾配形成板まで例えば８０℃以上に加熱され、これによって、勾配形成板が二次的に発泡して膨張したり、軟化又は溶融して収縮したりすることが考えられる。
【０００４】
かかる問題を解決すべく、特許文献２には、勾配形成板を構成する合成樹脂発泡体のガラス転移点を１００℃以上とする構成が開示されている。具体的には、当該勾配形成板をポリスチレンとポリフェニレンエーテルとを混合した樹脂によって形成する構成が開示されており、当該混合樹脂による勾配形成板を直射光と窓ガラスの反射光とを設ける領域に限定して設けられている。
【先行技術文献】
【特許文献】
【０００５】
【特許文献１】特開平５−３１１８１９号公報
【特許文献２】特開２００７−２２４５７８号公報
【発明の概要】
【発明が解決しようとする課題】
【０００６】
しかしながら、上記特許文献２の構成においては、対象部分にのみ上記混合樹脂による勾配形成板を設けるとされているが、当該対象部分のみを混合樹脂に置き換える施工は、従来の樹脂製の勾配形成板で陸屋根を形成する際に対象領域を切除し、当該切除部分に勾配形成板を設けることとなり、施工に著しく手間が生じてしまうという問題があった。また、建物のリフォームに伴って窓の位置が変わったり、隣接する建物の窓ガラスからの反射光を受けたりといった他の影響により二次的に発泡を生じる可能性のある領域を特定することは困難である。したがって、陸屋根の全面に亘って上記混合樹脂を用いることが考えられるが、そうすると、著しくコストを上昇させてしまうという問題が新たに発生する。
【０００７】
そこで、本発明は、極度の加熱された状態、すなわち過熱により仮に勾配板が二次的に発泡したとしても陸屋根の不陸を防止することができ、特に、二次的な発泡に起因した防水機能の低下を抑制するための施工の手間を削減し、且つ、防水性を維持するためのコストの上昇も抑制することができる陸屋根の防水構造を提供することを目的とする。
【課題を解決するための手段】
【０００８】
上記課題を解決すべく、本発明の構成は、水勾配を形成する勾配形成層の上面を防水層で覆うことによって形成される陸屋根の防水構造であって、勾配形成層は合成樹脂発泡体によって形成されており、該合成樹脂発泡体からなる勾配形成層の上部表面に接触又は僅かに離間して対向する位置には、合成樹脂発泡体が発泡すると想定される特定温度で液化する固形油分層が設けられており、該固形油分層には、合成樹脂発泡体を溶かす溶融成分が含まれていることを特徴とする。
【０００９】
本発明では、合成樹脂発泡体が発泡する温度になるまで過熱すると、同時に固形油分層も固体から液状に状態変化し、発泡し始めている合成樹脂発泡体の上部表面に浸み込むこととなる。すると、合成樹脂発泡体に浸み込んだ溶融成分が発泡し始めた合成樹脂発泡体を溶融し、以後の膨張を含む合成樹脂発泡体の形状変化を防止する。つまり、合成樹脂発泡体は、過熱によって発泡を開始するものの、その発泡部分が溶融されることとなって形状変化の拡大は抑えられ、従って、屋根面の膨れを防止することができる。
【００１０】
また、本発明は、例えば、通常の陸屋根の構成に固形油分層を挟み込むだけで構成できるので、従来の施工と略同一の工程で作業を進めることができ、施工に過度の手間がかかることを防止することができる。さらには、従来の陸屋根の構造に固形油分層を付加するだけであるので、コストの増加も充分に抑制することができる。なお、この陸屋根とは、１／５０〜１／１００程度の水勾配を有して形成される屋根構造を広く含み、バルコニーやベランダの床面も含まれる。
【００１１】
上記構成のように合成樹脂発泡体の上面側に固形油分層が存在すれば施工面及びコスト面から優位性を期待でき、特に、施工性向上の観点からは、固形油分層は、勾配形成層の上部表面に塗布されることにより、勾配形成層の上部表面に接触して設けられている構成が好ましい。また、勾配形成層と防水層との間に配置された屋根中間層を更に備え、固形油分層は、屋根中間層の下部表面に塗布されている構成が好ましい。
【００１２】
また、固形油分層と勾配形成層とは僅かに離間して配置されており、固形油分層と勾配形成層との間には、メッシュシート層が設けられていると好適である。この構成によれば、陸屋根の上部からの圧力によって二次的な発泡前の合成樹脂発泡体と固形油分層とが接触することを防止することができ、より適正に固形油分層による合成樹脂発泡体の膨れ防止機能を発揮させることができる。
【００１３】
また、固形油分層は、テルペン油・エゴマ油・シソ油などの食用油、及びリモネンの少なくとも一つからなる溶融成分と、溶融成分を内包する固形ワックスとを有すると好適である。この構成によれば、勾配形成層にて発泡発生の虞がある面及び当該面を覆う面に溶融成分を内包する固形ワックスを塗布するだけで、固形油分層を合成樹脂発泡体の表面に設けることができ、きわめて容易な施工で合成樹脂発泡体に固形油分層を重ねることができるものとなる。
【００１４】
さらに合成樹脂発泡体はポリスチレンフォームであり、固形油分層には、ポリスチレンフォームを溶かす溶融成分が含まれていると好適である。
【発明の効果】
【００１５】
本発明によれば、過熱することで仮りに勾配形成層が二次的に発泡したとしても陸屋根の不陸を防止することができ、特に、二次的な発泡に起因した防水機能の低下を抑制するための施工の手間を削減し、且つ、防水性を維持するためのコストの上昇も抑制することができる。
【図面の簡単な説明】
【００１６】
【図１】本発明の第１実施形態に係る陸屋根の概略を示す断面図である。
【図２】本実施形態に係る陸屋根の断面を模式的に示す拡大図である。
【図３】勾配形成層の二次的な発泡開始から発泡が終息して初期状態へ復旧する工程を模式的に示す断面図である。
【図４】本発明の第２実施形態に係る陸屋根の概略を示し、（ａ）は陸屋根の模式的な縦断面図であり、（ｂ）は（ａ）のｂ−ｂ線に沿った断面図である。
【発明を実施するための形態】
【００１７】
以下、本発明の好適な実施形態について図面を参照しながら説明する。
（第１実施形態）
【００１８】
図１に示されるように、陸屋根１Ａとは、１／５０〜１／１００程度の水勾配を有して形成される屋根構造を広く含み、バルコニーやベランダの床面も含まれる。本実施形態に係る陸屋根１Ａは、例えば、居室から張り出すように設けられたベランダであって、居室の外壁から外側に向けて形成された陸屋根上面３を備え、陸屋根上面３の外縁には、腰壁５が設けられている。
【００１９】
陸屋根上面３は、例えば居室側が高く、腰壁５側が低くなっており、腰壁５近傍の最も勾配の低くなった位置には、水が流れ込む排水溝部９が形成されている。また、腰壁５の反対側となる位置に、居室とベランダとを区画する立上り壁が設けられており、該立上り壁には、居住者が居室とベランダの間を行き来可能とするための掃き出し窓５５（図２，図３参照）が設けられている。また、掃き出し窓には、反射性の高いガラスなどが設置されている。
【００２０】
陸屋根１Ａは、軽量気泡コンクリート（ＡＬＣ）からなる床板１１と、床板１１の上面に敷設される断熱層１３と、断熱層１３の上面に敷設されて水勾配を形成する勾配形成層１５と、勾配形成層１５の上方に敷設される不燃層（屋根中間層）１７と、不燃層１７を覆って設けられる防水シート１９（防水層）４６とが設けられている。防水シート１９は、例えば、塩ビシートなどからなる。
【００２１】
床板１１は、端部を梁２１に載置させることで梁２１に支持されており、腰壁５も金物（図示省略）を介して梁２１に支持されている。床板１１の外面と腰壁５の内面との間の梁２１の上方には、隙間が形成され、この隙間には、モルタル２３が充填されている。
【００２２】
また、断熱層１３は、床板１１及びモルタル２３の上面を覆って設けられ、腰壁５の内側の全面に亘って敷設されている。勾配形成層１５、不燃層１７及び防水シート１９は、腰壁５の近傍部分を除いた領域、つまり排水溝部９が形成される部分を除いた領域に敷設されている。勾配形成層１５は、陸屋根上面３の居室側から腰壁５側に向けて厚みが薄くなっており、これにより水勾配が形成されている。
【００２３】
勾配形成層１５は、合成樹脂発泡体によって形成されており、本実施形態ではポリスチレンフォームを例に具体的に説明する。
【００２４】
図２に示されるように、勾配形成層１５と不燃層１７との間には固形油分層２５が形成されている。固形油分層２５は、ポリスチレンフォームを溶かす溶融成分２５ａ（図３（ａ）参照）を内包する固形ワックスを主成分とする。固形ワックスは常温では固体状であり、ポリスチレンフォームが発泡すると想定される特定温度、具体的には、８０℃〜１００℃の温度範囲、好ましく８３℃〜８５℃の温度範囲で液化する。固形ワックスとしては、パラフィンなどを用いることができるが、パラフィンの融点は５７℃なので、パラフィンを固形ワックスとして用いる場合には、ポリスチレンフォームが発泡すると想定される特定温度で液化するような成分調整が必要となる。また、溶融成分２５ａとしては、テルペン油、エゴマ油、シソ油などの食用油、リモネンの少なくとも一つの油分を適宜に利用できる。
【００２５】
本実施形態に係る固形油分層２５は、勾配形成層１５の上部表面に接触するように対向配置されている。固形油分層２５は、勾配形成層１５の上部表面に塗布されることで形成されてもよいし、不燃層１７の下部表面に塗布されることで形成されてもよい。本実施形態では、勾配形成層１５、固形油分層２５、不燃層１７及び防水シート１９によって陸屋根１Ａの防水構造２Ａが形成される。
【００２６】
次に、図３を参照して本実施形態に係る陸屋根１Ａの防水構造２Ａの作用、効果を説明する。図３（ａ）に示されるように、陸屋根上面３には直射光Ｌ１やガラス５５等に反射した反射光Ｌ２が入射し、これら光の入射によって陸屋根上面３は加熱される。特に、本実施形態では、断熱層１３を備えているので下方に熱が逃げ難く、陸屋根上面３の内側（下層側）に熱がこもって温度が上昇し易い環境にある。しかしながら、通常は、陸屋根上面３に防水シート１９などが設置されているので、直射日光に近い状態で加熱されることは免れることとなり、陸屋根上面３よりも下層の勾配形成層１５のポリスチレンフォームが二次的に発泡してしまうまで加熱されることは想定し難い。しかしながら、経年によって防水シート１９が部分的に劣化等すると、その部分への光の照射が当初よりも過大となって急激に加熱され、内部温度がポリスチレンフォームの発泡温度（特定温度）まで達する状態、すなわち過熱状態になる場合がある。かかる状態にあっては、ポリスチレンフォームの発泡が開始し、勾配形成層１５に僅かな膨らみが生じてしまうことが考えられる。
【００２７】
一方で、陸屋根上面３の内側がポリスチレンフォームの発泡温度まで上昇すると、固形油分層２５の固形ワックスが固体から液体に状態変化し、これによって内包する溶融成分２５ａが発泡し始めているポリスチレンフォームの上部表面に浸み込むこととなる。すると、ポリスチレンフォームに浸み込んだ溶融成分２５ａが発泡し始めたポリスチレンフォームを溶融し、以後の発泡を防止する（図３（ｂ）参照）。つまり、ポリスチレンフォームは、過熱によって一旦は発泡を開始するものの、その発泡部分が溶融されることとなって以後の発泡を含む形状変化の拡大は抑えられ、従って、陸屋根上面３の膨れを防止することができる。その結果として、過熱により仮に勾配形成層１５が二次的に発泡したとしても陸屋根１Ａの不陸を防止することができる。
【００２８】
また、本実施形態では、例えば、通常の陸屋根１Ａの構成に固形油分層２５を挟み込むだけで構成できるので、従来の施工と略同一の工程で作業を進めることができ、施工に過度の手間がかかることを防止することができる。さらには、従来の陸屋根１Ａの構造に固形油分層２５を付加するだけであるので、コストの増加も充分に抑制することができる。その結果として、二次的な発泡に起因した防水機能の低下を抑制するための施工の手間は削減され、且つ、防水性を維持するためのコストの上昇も抑制することができる。
【００２９】
また、上記の施工面及びコスト面からの優位性は、ポリスチレンフォームなどの合成樹脂発泡体の上面側に固形油分層２５が存在すれば期待でき、特に、施工性向上の観点からは、固形油分層２５は、勾配形成層１５の上部表面に塗布されることにより形成されてもよいし、勾配形成層１５と防水シート１９との間に配置された不燃層１７（屋根中間層）の下部表面に塗布されて形成されてもよい。
【００３０】
また、本実施形態では、勾配形成層１５にて発泡発生の虞がある面及び当該面を覆う面に溶融成分２５ａを内包する固形ワックスを塗布するだけで、固形油分層２５を合成樹脂発泡体の表面に設けることができ、きわめて容易な施工でポリスチレンフォームなどの合成樹脂発泡体と固形油分層２５とを重ねることができるものとなる。
【００３１】
なお、上記実施形態では、勾配形成層１５や不燃層１７に直接に固形油分層２５を塗布して設ける態様を説明したが、紙体などのシートに固形油分層２５を塗布し、そのシートを勾配形成層１５と不燃層１７との間に設置するようにしてもよい。
（第２実施形態）
【００３２】
次に、図４を参照して本発明の第２実施形態に係る陸屋根１Ｂの防水構造２Ｂについて説明する。なお、本実施形態に係る陸屋根１Ｂの防水構造２Ｂは、第１実施形態に係る陸屋根１Ａの防水構造２Ａと同様の要素や部材などを備えており、それらの同様な要素や部材などについては第１実施形態に係る陸屋根１Ａの防水構造２Ａと同一の符号を付して詳細な説明は省略する。
【００３３】
本実施形態に係る固形油分層２５は、勾配形成層１５の上部表面から僅かに離間して対向する位置に配置されており、勾配形成層１５と固形油分層２５との間には、金属や樹脂或いはその他の材料からなり、固形油分層２５などに比べて融点の高いメッシュシートが挟み込まれてメッシュシート層２７が形成されている。
【００３４】
本実施形態によれば、第１実施形態に係る陸屋根１Ｂの防水構造２Ｂと同様に、極度の過熱により仮に勾配板が二次的に発泡したとしても陸屋根１Ｂの不陸を防止することができ、特に、二次的な発泡に起因した防水機能の低下を抑制するための施工の手間は削減され、且つ、防水性を維持するためのコストの上昇も抑制することができる。
【００３５】
さらに、本実施形態に係る陸屋根１Ｂの防水構造２Ｂでは、固形油分層２５と勾配形成層１５との間にメッシュシート層２７が設けられているので、陸屋根１Ａの上部からの踏圧等による圧力によって二次的な発泡前のポリスチレンフォームと固形油分層２５とが接触することを防止することができ、より適正に固形油分層２５による陸屋根１Ｂの膨れ防止機能を発揮させることができる。
【００３６】
以上、本発明をその実施形態に基づき具体的に説明したが、本発明は、上記実施形態に限定されるものではない。例えば、上記の実施形態では勾配形成層を形成する合成樹脂発泡体としてポリスチレンフォームを例示したが、その他の合成樹脂発泡体、例えば、ポリウレタン、ポリエチレン、ポリ塩化ビニル、フェノール樹脂などの各発泡体やポリスチレンとポリフェニレンエーテルとを混合した樹脂の発泡体を用いることも可能である。これらの各発泡体を用いた場合には、合成樹脂発泡体が発泡すると想定される特定温度で液化する固形油分層を適用でき、さらに、実際に用いられる発泡体を溶かす溶融成分が固形油分層に含まれるように構成することが可能である。
【符号の説明】
【００３７】
１Ａ，１Ｂ…陸屋根、２Ａ，２Ｂ…防水構造、１５…勾配形成層、１７…不燃層（屋根中間層）、１９…防水シート（防水層）、２５…固形油分層、２７…メッシュシート層。
【図１】
2011208461.tif 000003
【図２】
2011208461.tif 000004
【図３】
2011208461.tif 000005
【図４】
2011208461.tif 000006